(57)【要約】【課題】この発明は載置フレームの背上げ部を所定の回動角度で保持するためのヒンジ機構が外部に露出しないようにしたベッド装置を提供することにある。【解決手段】ベッドフレーム１と、このベッドフレームに固定された固定部４及びこの固定部に回動可能に連結された背上げ部５を有する載置フレーム３と、この載置フレームに支持され上記背上げ部の回動に応じて屈曲可能であるとともに上面にマットレスが載置される床部材と、上記固定部の上記マットレスが載置される面よりも下方に固定して設けられた第１の取付け部材１６と、上記背上げ部の上記マットレスが載置される面よりも下方にこの背上げ部に対して回動可能に連結された第２の取付け部材２２と、上記第１の取付け部材と第２の取付け部材とに連結されて設けられ上記背上げ部を回動させたときに作動してこの背上げ部を所定の起立角度で倒伏不能に保持するヒンジ機構２５とを具備する。【選択図】　　図１
2004105285.tif 000002
【特許請求の範囲】
【請求項１】
ベッドフレームと、
このベッドフレームに固定された固定部及びこの固定部に回動可能に連結された背上げ部を有する載置フレームと、
この載置フレームに支持され上記背上げ部の回動に応じて屈曲可能であるとともに上面にマットレスが載置される床部材と、
上記固定部の上記マットレスが載置される面よりも下方に固定して設けられた第１の取付け部材と、
上記背上げ部の上記マットレスが載置される面よりも下方にこの背上げ部に対して回動可能に連結された第２の取付け部材と、
上記第１の取付け部材と第２の取付け部材とに連結されて設けられ上記背上げ部を回動させたときに作動してこの背上げ部を所定の起立角度で倒伏不能に保持するヒンジ機構と、
を具備したことを特徴とするベッド装置。
【請求項２】
上記背上げ床部に一端を回動可能に連結して設けられた可動部材を有し、この可動部材の他端には上記第２の取付け部材の一端が回動可能に連結され、この第２の取付け部材の他端と上記第１の取付け部材とに上記ヒンジ機構が連結されることを特徴とする請求項１記載のベッド装置。
【発明の詳細な説明】
【０００１】
【発明の属する技術分野】
この発明は利用者が上半身を起こした姿勢を容易に維持することができるベッド装置に関する。
【０００２】
【従来の技術】
利用者が上半身を起こした姿勢を楽に維持することができるようにした、いわゆる背上げ式のベッド装置が知られている。背上げ式のベッド装置には種々の構成のものがあり、その１つとしてベッドフレームに設けられる載置フレームを、ベッドフレームに固定される固定フレームと、この固定フレームにヒンジ機構によって回動可能かつ所定の起立角度で保持可能に連結された背上げ部とに分割する。上記載置フレームには上記背上げ部とこて英部とにそれぞれ床部材を設け、この床部材にマットレスを載置して構成される。
【０００３】
したがって、上記背上げ部をヒンジ機構を作動させながら所定の角度に起立させれば、利用者は起立した背上げ部によって上半身を起こした姿勢を楽に維持することができるから、読者をしたり、テレビを見る場合などに便利であるということがある。
【０００４】
【発明が解決しようとする課題】
上記ヒンジ機構は、上記載置フレームの固定部と背上げ部との幅方向両端をそれぞれ直接連結するようにしている。固定部と背上げ部との幅方向両端をヒンジ機構によって直接連結すると、たとえば特許文献１に示されているように、ヒンジ機構が載置フレームの上面側に大きく突出する。
【０００５】
【特許文献１】
実公平４−２１３２４号公報（第３図）
そのため、載置フレームに床部材を介してマットレスを載置した場合、このマットレスの幅方向両側外面に上記ヒンジ機構が露出するため、外観の低下を招くということがあった。
【０００６】
この発明は、固定部と背上げ部とを連結したヒンジ機構がマットレスの幅方向両側に露出することがないようにしたベッド装置を提供することにある。
【０００７】
【課題を解決するための手段】
請求項１の発明は、ベッドフレームと、
このベッドフレームに固定された固定部及びこの固定部に回動可能に連結された背上げ部を有する載置フレームと、
この載置フレームに支持され上記背上げ部の回動に応じて屈曲可能であるとともに上面にマットレスが載置される床部材と、
上記固定部の上記マットレスが載置される面よりも下方に固定して設けられた第１の取付け部材と、
上記背上げ部の上記マットレスが載置される面よりも下方にこの背上げ部に対して回動可能に連結された第２の取付け部材と、
上記第１の取付け部材と第２の取付け部材とに連結されて設けられ上記背上げ部を回動させたときに作動してこの背上げ部を所定の起立角度で倒伏不能に保持するヒンジ機構と、
を具備したことを特徴とするベッド装置にある。
【０００８】
請求項２の発明は、上記背上げ床部に一端を回動可能に連結して設けられた可動部材を有し、この可動部材の他端には上記第２の取付け部材の一端が回動可能に連結され、この第２の取付け部材の他端と上記第１の取付け部材とに上記ヒンジ機構が連結されることを特徴とする請求項１記載のベッド装置にある。
【０００９】
この発明によれば、固定部と背上げ部とを連結するヒンジ機構を載置フレームの下方に設けるため、上記ヒンジ機構が外部に露出して外観を低下させるのを防止できる。
【００１０】
【発明の実施の形態】
以下、図面を参照しながらこの発明の一実施の形態を説明する。
【００１１】
図１はこの発明の一実施の形態に係るベッド装置の側断面図であって、このベッド装置はベッドフレーム１を備えている。このベッドフレーム１は角パイプによって矩形枠状に形成され、その四隅部下面にはベッドフレーム１を所定の高さで支持する脚部材２が設けられている。
【００１２】
上記ベッドフレーム１には載置フレーム３が設けられている。この載置フレーム３は丸パイプによってＵ字状に曲成された固定部４と、所定長さの一対の丸パイプの一端をアングル材によって連結してＵ字状に形成された背上げ部５とに分割されている。
【００１３】
図４に示すように、上記固定部４は上記ベッドフレーム１の長手方向一端側の上面に両側部の端部をねじ６によって固定して設けられている。上記ベッドフレーム１の長手方向他端側を向いた上記固定部４の両側両端には上記背上げ部５の両側部の他端が支軸７によって回動可能に連結されている。
【００１４】
上記固定部４と上記背上げ部５との両側内面にはアングル材からなる受け部材８が設けられている。これらの受け部材８には上記載置フレーム３の内径寸法とほぼ同じ大きさに形成された後述する構成の床部材１１が幅方向両端部を係合させて載置されている。この床部材１１の上面には図１に鎖線で示すマットレスＭが載置される。
【００１５】
上記床部材１１は、図３（ａ），（ｂ）に示すように複数本の帯板１２１を備えている。この帯板１２１は下面が開放した中空状であって、内部には図示しない補強リブが長手方向と幅方向との全長にわたって設けられている。さらに、帯板１２１は上方に向かって凸状に湾曲形成されている。
【００１６】
各帯板１２１の両端部には合成樹脂によって一側面が開放した箱形状に成形された袋部材１２２が装着されている。この袋部材１２２の長手方向両側の端面にはそれぞれ係合孔１２３ａが穿設された連結片１２３が突設され、上記端面と直交する下面には一端をこの下面に連結した帯状の一対の弾性片１２２ａが一体成形されている。
【００１７】
両端に袋部材１２２が装着された帯板１２１は所定間隔で配置され、隣り合う一対の袋部材１２２はそれぞれ連結部材１２４によって回動可能に連結されている。つまり、連結部材１２４は一対の板材１２４ａ，１２４ｂからなる。
【００１８】
一方の板材１２４ａには先端が錐状で、すり割り溝によって径方向に弾性変形可能に形成された係合部１２５ａを有する一対の係合ピン１２５が突設されている。他方の板材１２４ｂには上記係合ピン１２５が挿入係止可能な一対の係合孔１２６が形成されている。
【００１９】
そして、一方の板材１２４ａに設けられた一対の係合ピン１２５をそれぞれ隣り合う一対の袋部材１２２の連結片１２３の係合孔１２３ａに挿入し、連結片１２３から突出した係合ピン１２５に他方の板材１２４ｂの係合孔１２６挿入し、係合ピン１２５の先端の係合部１２５ａを上記他方の板材１２４ｂの外面から突出させることで、一対の板材１２４ａ，１２４ｂが上記連結片１２３に回動可能に連結される。
【００２０】
そして、上記構成の床部材１１は、袋部材１２２の下面に設けられた弾性片１２２ａを上記受け部材８の上面に接触させて載置されている。それによって、上記載置フレーム３の背上げ部５を後述するように起立させると、その背上げ部５の回動に応じて上記床部材１１が屈曲するようになっている。
【００２１】
なお、上記受け部材８には、上記床部材１１が載置フレーム３上でずれ動くのを防止するため、連結部材１２４の一対の板材１２４ａ，１２４ｂに係合する係止ピン１２８が設けられている。
【００２２】
図２と図４に示すように、上記ベッドフレーム１の上記固定部４の両側部に対応する位置には、ベッドフレーム１の長手方向に沿って所定の間隔で離間した角パイプからなる一対の横部材１５が両端をベッドフレーム１の両側内面に固着して幅方向に沿って架設されている。これら横杆１５の両端部には角パイプからなる第１の取付け部材１６が載置フレーム３の長手方向に沿って架設されている。
つまり、第１の取付け部材１６は載置フレーム３の下方で、幅方向内方に位置している。
【００２３】
一方、上記背上げ部５の両側部の中央部内面には、背上げ部５の内側面に設けられた受け部材８の下面に一辺を固定してアングル材からなる連結部材１７が設けられている。背上げ部５の幅方向両側に設けられた一対の連結部材１７には、丸棒からなる補強部材１８と、同じく丸棒からなる支持部材１９とが架設されている。補強部材１８は両端が上記連結部材１７に固定され、支持部材１９は両端が上記連結部材１７に回転可能に支持されている。
【００２４】
上記支持部材１９の両端部にはそれぞれ可動部材２１の一端が固着されている。この可動部材２１の他端はコ字状をなしていて、この部分には角パイプからなる第２の取付け部材２２の一端が支軸２３（図４に示す）によって回動可能に連結されている。つまり、第２の取付け部材２２は上記第１の取付け部材１６と同様、載置フレーム３の下方で、幅方向内方に位置している。
【００２５】
図５に示すように、上記第１の取付け部材１６と第２の取付け部材２２との端部はヒンジ機構２５によって連結されている。このヒンジ機構２５は枢軸２６によって一端が枢着された第１のアーム２７と第２のアーム２８とを有する。第１のアーム２７の他端は第２の取付け部材２２の端部に嵌合固定され、第２のアーム２８の他端は第１の取付け部材１６の端部に嵌合固定されている。
【００２６】
第１のアーム２７の一端には歯２９が形成され、第２のアーム２８の一端には上記歯２９に係合するストッパ３１がピン３２によって枢支されているこのストッパ３１はばね３３によって上記歯２９に係合する方向に付勢されている。
【００２７】
上記枢軸２６にはカム板３４が回動可能に取付けられている。このカム板３４の外周面には周方向に所定の角度で凹部３５と凸部３６とが形成されている。上記凸部３６の上記枢軸２６からの半径寸法は、上記歯２９の枢軸２６からの半径寸法よりも大きく形成されている。上記第１のアーム２７の一端には、上記歯２９に上記ストッパ３１が係合した状態において、上記凹部３５に位置する係合体３７が設けられている。
【００２８】
それによって、上記歯２９と上記ストッパ３１との係合によって第１のアーム２７を第２のアーム２８に対して所定の回動角度で保持することができる。上記第１のアーム２７を図５に矢印で示す方向に回動させ、この回動にカム板３４をその凹部３５の一端に当接する係合体３７によって連動させれば、このカム板３４の凸部３６に上記ストッパ３１が乗り上げて歯２９との係合が外れるから、上記第１のアーム２７を矢印と逆方向に自由に回動させることができる。
【００２９】
上記第１のアーム２７の矢印と逆方向の回動は上記係合体３７が凹部３５の他端に当接してカム板３４を回動させ、上記ストッパ３１がカム板３４の凸部３６から外れて歯２９に係合するまで、すなわち第１のアーム２７が第２のアーム２８に対してほぼ水平な状態になるまで回動させることができる。
【００３０】
したがって、上記載置フレーム３の背上げ部５は、上記構成のヒンジ機構２５により、固定部４に対して所定の角度で起立した状態で保持可能であるとともに、起立した状態から水平に倒伏させることができる。
【００３１】
このような構成のベッド装置によれば、載置フレーム３の背上げ部５を固定部４に対して所定の起立角度で保持するためのヒンジ機構２５を、載置フレーム３の下方に位置させるようにした。
【００３２】
具体的には、載置フレーム３を構成する固定部４の下方で、この固定部４の幅方向内方に位置する第１の取付け部材１６と、背上げ部５の下方で、この背上げ部５の幅方向内方に位置する第２の取付け部材２２とをヒンジ機構２５によって連結するようにした。
【００３３】
そのため、載置フレーム３の上面に係合保持された床部材１１の上面にマットレスＭを載置すると、載置フレーム３の下方に位置する上記ヒンジ機構２５はベッドフレーム１内に位置するとともにマットレスＭによって覆い隠される。
【００３４】
そのため、上記ヒンジ機構２５が外部に露出することがないから、ベッド装置の外観が損なわれることがない。
【００３５】
上記ヒンジ機構２５が載置フレーム３の幅方向両側から上面側に突出していると、載置フレーム３に床部材１１を介して載置されたマットレスＭの幅方向両側面が上記ヒンジ機構２５に擦られて早期に損傷することがあるが、上記ヒンジ機構２５が載置フレーム３の下方に設けられることで、マットレスＭが損傷することもない。
【００３６】
上記ヒンジ機構２５を載置フレーム３の下方に設けると、ヒンジ機構２５の第１のアーム２７と第２のアーム２８との回動支点が背上げ部５の回動支点と異なるため、背上げ部５の回動に連動してヒンジ機構２５が円滑に作動しなくなる虞がある。つまり、背上げ部５を円滑に回動上昇させることができなくなる。
【００３７】
しかしながら、上記ヒンジ機構２５は、上記背上げ部５に可動部材２１及び第２の取付け部材２２を介して取付けられている。上記可動部材２１は一端を背上げ部５に支持部材１９を介して枢着し、他端を上記第２の取付け部材２２に枢着している。
【００３８】
そのため、上記背上げ部５を回動させたときに、上記可動部材２１によって背上げ部５とヒンジ機構２５との回転中心のずれを吸収することができるから、上記背上げ部５の回転に上記ヒンジ機構２５を円滑に連動させることができる。
【００３９】
上記一実施の形態では第１の取付け部材をベッドフレームに架設された横部材に取付けるようにしたが、横部材を載置フレームの固定部に架設し、この横部材に第１の取付け部材を取付けるようにしてもよい。要は、ヒンジ機構によって連結される第１の取付け部材と第２の取付け部材とが載置フレームの下方に位置していればよい。
【００４０】
【発明の効果】
以上のようにこの発明は、載置フレームの固定部と背上げ部とを連結するヒンジ機構を載置フレームの下方に設けるようにした。
【００４１】
そのため、上記ヒンジ機構が載置フレームに載置されるマットレスの幅方向両側面に露出することがないから、ベッド装置の外観の低下を招くのを防止することができる。
【図面の簡単な説明】
【図１】この発明の一実施の形態に係るベッド装置の側断面図。
【図２】床部材の一部を除去したベッド装置の平面図。
【図３】（ａ）は床部材の側面図、（ｂ）は床部材の幅方向一端部の平面図。
【図４】ヒンジ機構の取付け構造を示す斜視図。
【図５】ヒンジ機構の拡大断面図。
【符号の説明】
１…ベッドフレーム
３…載置フレーム
４…固定部
５…背上げ部
１１…床部材
１６…第１の取付け部材
２２…第２の取付け部材
２５…ヒンジ機構
【図１】
2004105285.tif 000003
【図２】
2004105285.tif 000004
【図３】
2004105285.tif 000005
【図４】
2004105285.tif 000006
【図５】
2004105285.tif 000007